(57)【要約】  【課題】急速冷凍運転を自動的に行なうよう機能をもった冷蔵庫で、自動で急速冷凍運転を行うためには、貯蔵物の温度をより正確に検出する必要があり、赤外線センサーなどが有効であるが、その構成は充電部が露出した形状になっている場合がある。そうすると、冷蔵庫の扉を開けて中に手を入れた場合に、充電部に触れて感電する危険性があり、それを防ぐことができる冷蔵庫を提供する。  【解決手段】本発明の冷蔵庫は、冷凍室９に収納された収納物の温度を検知する赤外線センサー１２と、冷凍室９の扉の開閉を検知する扉スイッチ１３と、赤外線センサー１２への給電を制御する制御装置１１を備え、冷凍室９の扉が開くと、赤外線センサー１２への給電を停止することで、より高い精度で温度検知するために赤外線センサー１２の充電部が露出しているような構造であっても、人の手が触れて感電することを防ぐことができる。【選択図】図１
2010038442.tif 000002
【特許請求の範囲】
【請求項１】
冷凍室に収納された収納物の温度を検知する赤外線センサーと、冷凍室の扉の開閉を検知する扉スイッチと、赤外線センサーへの給電を制御する制御装置を備え、前記赤外線センサーは充電部が露出された構造になっており、前記冷凍室の扉が開くと、前記赤外線センサーへの給電を停止することを特徴とした冷蔵庫。
【請求項２】
赤外線センサーへの給電経路に、冷凍室の扉の開閉と連動した接点を備え、前記赤外線センサーは充電部が露出された構造になっており、前記冷凍室の扉を開けた場合に、前記接点が開となり、前記赤外線センサーへの給電が遮断される構成となっていることを特徴とした冷蔵庫。
【請求項３】
冷凍室の扉が開いて、赤外線センサーへの給電を停止している間は、冷凍室の扉が開く直前の検知温度を固定して圧縮機の運転を制御することを特徴とする請求項１または２に記載の冷蔵庫。
【請求項４】
冷凍室内に充電部が露出していない形状の温度センサーを備え、冷凍室の扉が開いて、赤外線センサーへの給電を停止している間は、前記温度センサーの検知温度によって圧縮機の運転を制御することを特徴とする請求項１または２に記載の冷蔵庫。
【発明の詳細な説明】
【技術分野】
【０００１】
本発明は、冷凍室及び冷蔵室を備え、且つ冷凍室の急速冷凍運転を行い得るようにした冷蔵庫に関する。
【背景技術】
【０００２】
従来、冷蔵庫にあっては冷凍室と冷蔵室の両方を冷却する状態と、冷凍室のみを冷却する状態があり、冷凍室内で製氷を急いで行いたい場合や、食品を急いで冷凍させたい場合などに、強制的に冷凍室のみを運転する急速冷凍運転を行い得るものがある。この急速冷凍運転の実行手段として、手動スイッチを備えたものや、冷凍室内の温度を検知して、温度が上昇すると自動的に急速冷凍運転を開始する機能を備えた冷蔵庫が提案されている（例えば、特許文献１参照）。
【０００３】
図５は、特許文献１に記載された従来の急速冷凍運転機能を備えた冷蔵庫の冷凍サイクルの構成を示す図である。図５において、１は圧縮機、２はコンデンサ、３、４、８はキャピラリチューブ、５は冷凍室用冷却器、６は冷蔵室用冷却器、７は電磁弁である。また、図示されていないが、冷凍室の温度を検知するセンサーと、これらの冷却システムを制御する制御装置を備え、これらによって、冷凍室に多量の貯蔵物を収納した場合に、温度センサーによってそれを検知し、冷凍サイクルを冷凍室のみ運転する急速冷凍運転を実施し、所定の時間経過すると急速冷凍運転を終了させる。これによって、使用者の操作を必要とせずに、冷凍食品などの貯蔵物の温度上昇を防ぐことができる。
【特許文献１】特開昭６０−７１８７６号公報
【発明の開示】
【発明が解決しようとする課題】
【０００４】
しかしながら、上記従来の構成において、自動で急速冷凍運転を行うためには、貯蔵物の温度をより正確に検出する必要があり、赤外線センサーなどが有効であるが、その構成は充電部が露出した形状になっている場合がある。そうすると、冷蔵庫の扉を開けて中に手を入れた場合に、充電部に触れて感電する危険性を有している。
【０００５】
本発明は、上記従来の課題を解決するもので、赤外線センサーを有する部屋の扉が開けられると、赤外線センサーへの給電を遮断することで、冷蔵庫の安全性を確保することができる。
【課題を解決するための手段】
【０００６】
上記従来の課題を解決するために本発明の冷蔵庫は、冷凍室に収納された収納物の温度を検知する赤外線センサーと、冷凍室の扉の開閉を検知する扉スイッチと、赤外線センサーへの給電を制御する制御装置を備え、冷凍室の扉が開くと、赤外線センサーへの給電を停止することができる構成にしてある。
【０００７】
また、本発明の冷蔵庫は、赤外線センサーへの給電経路に、冷凍室の扉の開閉と連動した接点を備え、冷凍室の扉を開けた場合に、接点が開となり、赤外線センサーへの給電が遮断される構成にしてある。
【０００８】
また、本発明の冷蔵庫は、冷凍室の扉が開いて、赤外線センサーへの給電を停止している間は、冷凍室の扉が開く直前の検知温度を固定して圧縮機の運転を制御することができる構成にしてある。
【０００９】
また、本発明の冷蔵庫は、冷凍室内に充電部が露出していない形状の温度センサーを備え、冷凍室の扉が開いて、赤外線センサーへの給電を停止している間は、温度センサーの検知温度によって圧縮機の運転を制御することができる構成にしてある。
【発明の効果】
【００１０】
本発明の冷蔵庫は、冷凍室に収納された収納物の温度を検知する赤外線センサーと、冷凍室の扉の開閉を検知する扉スイッチと、赤外線センサーへの給電を制御する制御装置を備え、冷凍室の扉が開くと、赤外線センサーへの給電を停止することで、より高い精度で温度検知するために赤外線センサーの充電部が露出しているような構造であっても、人の手が触れて感電することを防ぐことができる。
【発明を実施するための最良の形態】
【００１１】
請求項１に記載の発明は、冷凍室に収納された収納物の温度を検知する赤外線センサーと、冷凍室の扉の開閉を検知する扉スイッチと、赤外線センサーへの給電を制御する制御装置を備え、前記赤外線センサーは充電部が露出された構造になっており、前記冷凍室の扉が開くと、前記赤外線センサーへの給電を停止することで、人の手が触れて感電することを防ぐことができる。
【００１２】
請求項２に記載の発明は、赤外線センサーへの給電経路に、冷凍室の扉の開閉と連動した接点を備え、前記赤外線センサーは充電部が露出された構造になっており、前記冷凍室の扉を開けた場合に、前記接点が開となり、前記赤外線センサーへの給電が遮断される構成とすることで、人の手が触れて感電することを防ぐことができる。
【００１３】
請求項３に記載の発明は、冷凍室の扉が開いて、赤外線センサーへの給電を停止している間は、冷凍室の扉が開く直前の検知温度を固定して圧縮機の運転を制御することで、冷凍室の扉が頻繁に開け閉めされても、圧縮機の運転を安定して行うことができ、圧縮機の起動停止を繰り返すなどして余計な電力を消費することを防ぐことができる。
【００１４】
請求項４に記載の発明は、冷凍室内に充電部が露出していない形状の温度センサーを備え、冷凍室の扉が開いて、赤外線センサーへの給電を停止している間は、前記温度センサーの検知温度によって圧縮機の運転を制御することで、冷凍室の扉を開けている時間が長い場合や、冷凍室の扉が半開き状態になっていた場合に、冷凍室内の温度に即して圧縮機の運転を行い、温度上昇による貯蔵物の劣化を防ぐことができる。
【００１５】
（実施の形態１）
図１は、本発明の実施の形態１における、冷蔵庫の制御装置のブロック図であり、冷蔵庫の構成と動作を示すものである。
【００１６】
図１において、冷凍室９の中の貯蔵物の温度を検知する赤外線センサー１２と、赤外線センサー１２への給電を制御する制御装置１１と、冷凍室９の扉の開閉を検知する扉スイッチ１３を備えた構成となっている。
【００１７】
以上のように構成された冷蔵庫について、以下その動作、作用を説明する。
【００１８】
まず、冷蔵庫の電源投入後、扉スイッチ１３が冷凍室９の扉が開けられたことを検知すると、制御装置１１によって、赤外線センサー１２への給電を停止する。その後、扉スイッチ１３が冷凍室９の扉が閉められたことを検知すると、制御装置１１によって、赤外線センサー１２への給電を再開する。
【００１９】
以上のように、本実施形態においては、冷凍室の扉を開けて貯蔵物の出し入れをする場合に、人の手が触れて感電することを防ぐことができる。
【００２０】
（実施の形態２）
図２は、本発明の実施の形態２における、冷蔵庫の制御装置の構造図であり、冷蔵庫の構成を示すものである。
【００２１】
図２において、赤外線センサー１２への給電経路に、冷凍室９の扉の開閉と連動した接点１４を備えた構成となっている。
【００２２】
以上のように構成された冷蔵庫について、以下その動作、作用を説明する。
【００２３】
まず、冷蔵庫の電源投入後、冷凍室９の扉が開けられると、それに連動して接点１４が開となり、赤外線センサー１２への給電を停止する。その後、冷凍室９の扉が閉められると、それに連動して接点１４が閉となり、赤外線センサー１２への給電を再開する。
【００２４】
以上のように、本実施形態においては、冷凍室の扉を開けて貯蔵物の出し入れをする場合に、人の手が触れて感電することを防ぐことができる。
【００２５】
（実施の形態３）
図３は、本発明の実施の形態３における、冷蔵庫の制御装置のブロック図であり、冷蔵庫の構成と動作を示すものである。
【００２６】
図３において、扉スイッチ１３の検知信号を受けて、圧縮機１の運転を制御する制御装置１１を備えた構成となっている。
【００２７】
以上のように構成された冷蔵庫について、以下その動作、作用を説明する。
【００２８】
まず、冷蔵庫の電源投入後、扉スイッチ１３が冷凍室９の扉が開けられたことを検知すると、制御装置１１によって、赤外線センサー１２への給電を停止する。且つ、扉スイッチ１３が冷凍室９の扉が開けられたことを検知している間は、圧縮機１の運転状態を、冷凍室９の扉が開けられる直前の状態で運転させる。その後、扉スイッチ１３が冷凍室９の扉が閉められたことを検知すると、制御装置１１によって、赤外線センサー１２への給電を再開し、圧縮機１の運転を赤外線センサー１２の検知温度に応じた通常の運転状態とする。
【００２９】
以上のように、本実施形態においては、冷凍室の扉が頻繁に開け閉めされても、圧縮機の運転を安定して行うことができ、圧縮機の起動停止を繰り返すなどして余計な電力を消費することを防ぐことができる。
【００３０】
（実施の形態４）
図４は、本発明の実施の形態４における、冷蔵庫の制御装置のブロック図であり、冷蔵庫の構成と動作を示すものである。
【００３１】
図４において、冷凍室９内に充電部が露出していない形状の温度センサー１５を備えた構成となっている。
【００３２】
以上のように構成された冷蔵庫について、以下その動作、作用を説明する。
【００３３】
まず、冷蔵庫の電源投入後、扉スイッチ１３が冷凍室９の扉が開けられたことを検知すると、制御装置１１によって、赤外線センサー１２への給電を停止する。且つ、扉スイッチ１３が冷凍室９の扉が開けられたことを検知している間は、圧縮機１を、温度センサー１５が検知した温度に応じて運転させる。その後、扉スイッチ１３が冷凍室９の扉が閉められたことを検知すると、制御装置１１によって、赤外線センサー１２への給電を再開し、圧縮機１の運転を赤外線センサー１２の検知温度に応じた通常の運転状態とする。
【００３４】
以上のように、本実施形態においては、冷凍室の扉を開けている時間が長い場合や、冷凍室の扉が半開き状態になっていた場合に、冷凍室内の温度に即して圧縮機の運転を行い、温度上昇による貯蔵物の劣化を防ぐことができる。
【００３５】
本実施の形態では、各々の機能ごとに説明をしたがそれぞれを組み合わせて用いてもなんら問題はない。
【産業上の利用可能性】
【００３６】
以上のように、本発明にかかる冷蔵庫は、庫内の貯蔵物の温度をより精密に測定する場合において、その温度センサーが充電部を露出した形状であっても、感電の危険性を廃して安全に使用できるようにしたものであり、家庭用電気冷蔵庫に限らず、なんらかの検知装置を備えたあらゆる用途での貯蔵庫の構造制御方法として適用でき、貯蔵庫の保存性能や利便性の向上を図ることができると思われる。
【図面の簡単な説明】
【００３７】
【図１】本発明の実施の形態１における冷蔵庫の制御装置のブロック図
【図２】本発明の実施の形態２における冷凍室の構造図
【図３】本発明の実施の形態３における冷蔵庫の制御装置のブロック図
【図４】本発明の実施の形態４における冷蔵庫の制御装置のブロック図
【図５】従来の急速冷凍運転機能を備えた冷蔵庫の冷凍サイクルの構成を示す図
【符号の説明】
【００３８】
１    圧縮機
２    コンデンサ
３    キャピラリチューブ
４    副キャピラリチューブ
５    冷凍室用冷却器
６    冷蔵室用冷却器
７    電磁弁
８    バイパス用キャピラリチューブ
９    冷凍室
１０  冷蔵室
１１  制御装置
１２  赤外線センサー
１３  扉スイッチ
１４  接点
１５  温度センサー
【図２】
2010038442.tif 000003
【図５】
2010038442.tif 000004
【図１】
2010038442.tif 000005
【図３】
2010038442.tif 000006
【図４】
2010038442.tif 000007